(57)【特許請求の範囲】
【請求項１】
多層建築物の各階の床スラブを貫通して設けられた既設立管の床スラブ貫通部の撤去方法であって、
１つの階の前記床スラブを貫通する床スラブ貫通部の上下で既設立管を切断して切断撤去部を形成する工程と、
前記切断撤去部の上端から切除部上端までの距離が、前記切断撤去部の上下寸法以上となるように、前記床スラブと１つ上階の床スラブとの間の既設立管を切除する工程と、
前記既設立管の前記切除部より上方部分に牽引線条体を有する牽引装置を支持固定する工程と、
前記牽引装置の牽引線条体の下端を前記切断撤去部の前記床スラブより上方部分に固定する工程と、
前記牽引装置を操作して牽引線条体を引き上げることによって前記切断撤去部を床スラブから上方に抜き取る工程と、を備えていることを特徴とする既設立管の床スラブ貫通部の撤去方法。
【請求項２】
多層建築物の各階の床スラブを貫通して設けられた既設立管の床スラブ貫通部の撤去方法であって、
１つの階の前記床スラブを貫通する床スラブ貫通部の上下で既設立管を切断して切断撤去部を形成する工程と、
前記切断撤去部の上端から切除部上端までの距離が、前記切断撤去部の上下寸法以上となるように、前記床スラブと１つ上階の床スラブとの間の既設立管を切除する工程と、
前記切除撤去部を形成した床スラブより上層階のいずれかの床スラブ上の既設立管の一部を切除して上部切断部を設け、既設立管の一部に開口を形成する工程と、
前記上部切除部を設けることによって形成された上部既設立管残部の下端部、または、前記上部切除部が設けられた床スラブ上に構築した架台に、牽引線条体を有する牽引装置を支持固定する工程と、
前記牽引線条体を前記開口から既設立管内を通して、前記切断撤去部にその下端を固定する工程と、
前記牽引装置を操作して牽引線条体を引き上げることによって前記切断撤去部を床スラブから上方に抜き取る工程と、を備えていることを特徴とする既設立管の床スラブ貫通部の撤去方法。
【請求項３】
多層建築物の各階の床スラブを貫通して設けられた既設立管の床スラブ貫通部の撤去方法であって、
１つの階の前記床スラブを貫通する床スラブ貫通部の上下で既設立管を切断して切断撤去部を形成する工程と、
前記切断撤去部の上端から切除部上端までの距離が、前記切断撤去部の上下寸法以上となるように、前記床スラブと１つ上階の床スラブとの間の既設立管を切除する工程と、
前記既設立管の屋上突出部の雨水除けの上部カバーを取り除いて既設立管の上端を開口させる工程と、
屋上に架台を設け、この架台に牽引線条体を有する牽引装置を支持固定する工程と、
前記牽引線条体を前記開口から既設立管内を通して、前記切断撤去部にその下端を固定する工程と、
前記牽引装置を操作して牽引線条体を引き上げることによって前記切断撤去部を床スラブから上方に抜き取る工程と、を備えていることを特徴とする既設立管の床スラブ貫通部の撤去方法。
【請求項４】
多層建築物の各階の床スラブを貫通して設けられた既設立管の床スラブ貫通部の撤去方法であって、
１つの階の前記床スラブを貫通する床スラブ貫通部の上下で既設立管を切断して切断撤去部を形成する工程と、
前記切断撤去部の上端から切除部上端までの距離が、前記切断撤去部の上下寸法以上となるように、前記床スラブと１つ上階の床スラブとの間の既設立管を切除する工程と、
前記既設立管の上端に牽引線条体を有する牽引装置を支持固定する工程と、
前記牽引装置の牽引線条体の下端を前記切断撤去部の前記床スラブより上方部分に固定する工程と、
前記牽引装置を操作して牽引線条体を引き上げることによって前記切断撤去部を床スラブから上方に抜き取る工程と、を備えていることを特徴とする既設立管の床スラブ貫通部の撤去方法。
【発明の詳細な説明】
【技術分野】
【０００１】
本発明は、建物の床スラブを貫通して設けられた排水用あるいは給水用の既設立管の床スラブ貫通部を撤去する方法に関する。
【背景技術】
【０００２】
建物の新築時では、防火区画である床、壁を貫通して配管する場合は、建物躯体コンクリート打設時にボイド管（紙管）等でスリーブ（配管が貫通する孔）を開けておき、配管を貫通させた後、配管とスリーブの隙間をモルタルで隙間なく充填するのが一般的である。
防火区画とは火災が発生した部屋から隣室もしくは上階への延焼を防止する構造の床または壁で、配管の周囲はモルタル等の不燃材料で隙間無く埋める必要がある。管材も不燃材料または耐火性の高いSGP（鋼管）、鋳鉄管、コーティング鋼管など金属管が使用されている。
【０００３】
ところで、上記のような配管は、耐用年数が経過すると、更新する必要がある。
既設立管の更新方法、としては、以下に説明する図１１に示すような方法や図１２に示すような方法（特許文献１参照）が従来から用いられている。
【０００４】
〔図１１の方法〕
（１）図１１（ａ）に示すように、床スラブＳを貫通するように設けられた既設立管Ｐを床スラブＳの上下で切断する。
（２）図１１（ｂ）に示すように、床スラブＳに支持された状態で残った残部である筒状の切断撤去部Ｐ１を床スラブＳの切断撤去部Ｐ１の周囲を削岩機等のはつり機１００を用いてはつることによって取り除く。
（３）図１１（ｃ）に示すように、切断撤去部Ｐ１及びその周囲の床スラブＳの一部を取り除くことによって生じた床スラブＳの貫通孔Ｈ１に新しい配管材Ｐ２を挿入したのち、貫通孔Ｈ１と配管材Ｐ２との隙間にモルタル（図示せず）を充填する。
【０００５】
〔図１２の方法〕
（１）図１２（ａ）に示すように、床スラブＳを貫通するように設けられた既設立管Ｐを床スラブＳの上下で切断する。
（２）図１２（ｂ）に示すように、床スラブＳに支持された状態で残った切断撤去部Ｐ１を床スラブＳの切断撤去部Ｐ１の周囲をコアドリル等の切削機２００を用いて円筒状に切り抜くことによって切断撤去部Ｐ１の周囲の床スラブＳの一部とともに、取り除く。
（３）図１２（ｃ）に示すように、切断撤去部Ｐ１を取り除くことによって生じた床スラブＳの貫通孔Ｈ１に新しい配管材Ｐ２を挿入したのち、貫通孔Ｈ１と配管材Ｐ２との隙間にモルタル（図示せず）を充填する。
【０００６】
しかしながら、上記のような方法においては、はつり機１００で床スラブＳをはつる際あるいは切削機２００で床スラブＳを切削する際に、大きな振動や騒音やホコリが発生するため、以下のような問題がある。
すなわち、上記のような配管の更新方法においては、工事が新築の場合と違い、住民が住みながらの工事となる。したがって、改修配管改修工事発生する騒音、振動、ホコリが住民に多大な不快感を与える。特に高層マンションなどの集合住宅では、多くの住民に不快感を与える。
【０００７】
そこで、図１３及び図１４に示すような更新方法が提案されている。すなわち、この方法は、図１３（ｂ）及び図１４に示すように、床スラブＳの切断撤去部Ｐ１を床スラブＳの上に配置した油圧工具３００を用いて上方に引き抜く方法が開発されている。
この引き抜き方法を用いれば、上記２つの方法に比べて、切断撤去部Ｐ１を除去する際に、騒音、振動、ホコリの発生を極めて少なくできる。
また、引き抜きにより切断撤去部Ｐ１の床スラブ貫通部の外形に沿う床スラブ貫通孔が形成され、新規立管をこの床スラブ貫通孔と略一致する外形を備えた配管材で構成することで、殆どモルタル充填などの埋め戻し作業が容易かつ低コストで行える。
【先行技術文献】
【特許文献】
【０００８】
【特許文献１】特開２００６−２００６５６号公報
【発明の概要】
【発明が解決しようとする課題】
【０００９】
しかしながら、上記のように、油圧工具３００を用いて引き抜く方法においては、次のような問題がある。
すなわち、一般的に給水立管や排水立管に沿ってガス配管、メーター機器等が設置されているため、作業スペースが非常に狭い場合が多い。したがって、嵩高く重量のある上記のような油圧工具３００を容易に設置できない。また、重量のある油圧工具３００を一階毎に搬送することは非常に手間である。
【００１０】
本発明は、上記事情に鑑みて、床スラブを貫通する既設立管を新しい配管に更新する場合のように、既設配管の床スラブ貫通部を上方に引き抜き撤去する際に、狭い作業スペースにおいても容易に引き抜き作業を行うことができる既設立管の床スラブ貫通部の撤去方法を提供することを目的としている。
【課題を解決するための手段】
【００１１】
上記目的を達成するために、本発明の請求項１に記載の既設立管の床スラブ貫通部の撤去方法（以下、「請求項１の撤去方法」と記す）は、多層建築物の各階の床スラブを貫通して設けられた既設立管の床スラブ貫通部の撤去方法であって、１つの階の前記床スラブを貫通する床スラブ貫通部の上下で既設立管を切断して切断撤去部を形成する工程と、前記切断撤去部の上端から切除部上端までの距離が、前記切断撤去部の上下寸法以上となるように、前記床スラブと１つ上階の床スラブとの間の既設立管を切除する工程と、前記既設立管の前記切除部より上方部分に牽引線条体を有する牽引装置を支持固定する工程と、前記牽引装置の牽引線条体の下端を前記切断撤去部の前記床スラブより上方部分に固定する工程と、前記牽引装置を操作して牽引線条体を引き上げることによって前記切断撤去部を床スラブから上方に抜き取る工程と、を備えていることを特徴としている。
【００１２】
本発明の請求項２に記載の既設立管の床スラブ貫通部の撤去方法（以下、「請求項２の撤去方法」と記す）は、多層建築物の各階の床スラブを貫通して設けられた既設立管の床スラブ貫通部の撤去方法であって、１つの階の前記床スラブを貫通する床スラブ貫通部の上下で既設立管を切断して切断撤去部を形成する工程と、前記切断撤去部の上端から切除部上端までの距離が、前記切断撤去部の上下寸法以上となるように、前記床スラブと１つ上階の床スラブとの間の既設立管を切除する工程と、前記切除撤去部を形成した床スラブより上層階のいずれかの床スラブ上の既設立管の一部を切除して上部切断部を設け、既設立管の一部に開口を形成する工程と、前記上部切除部を設けることによって形成された上部既設立管残部の下端部、または、前記上部切除部が設けられた床スラブ上に構築した架台に、牽引線条体を有する牽引装置を支持固定する工程と、前記牽引線条体を前記開口から既設立管内を通して、前記切断撤去部にその下端を固定する工程と、前記牽引装置を操作して牽引線条体を引き上げることによって前記切断撤去部を床スラブから上方に抜き取る工程と、を備えていることを特徴としている。
【００１３】
本発明の請求項３に記載の既設立管の床スラブ貫通部の撤去方法（以下、「請求項３の撤去方法」と記す）は、多層建築物の各階の床スラブを貫通して設けられた既設立管の床スラブ貫通部の撤去方法であって、１つの階の前記床スラブを貫通する床スラブ貫通部の上下で既設立管を切断して切断撤去部を形成する工程と、前記切断撤去部の上端から切除部上端までの距離が、前記切断撤去部の上下寸法以上となるように、前記床スラブと１つ上階の床スラブとの間の既設立管を切除する工程と、前記既設立管の屋上突出部の雨水除けの上部カバーを取り除いて既設立管の上端を開口させる工程と、屋上に架台を設け、この架台に牽引線条体を有する牽引装置を支持固定する工程と、前記牽引線条体を前記開口から既設立管内を通して、前記切断撤去部にその下端を固定する工程と、前記牽引装置を操作して牽引線条体を引き上げることによって前記切断撤去部を床スラブから上方に抜き取る工程と、を備えていることを特徴としている。
【００１４】
本発明において、牽引装置としては、特に限定されないが、持ち運びが容易なように、できるだけ軽量で嵩張らないものが好ましく、例えば、チェーンブロックやウインチが挙げられる。また、これらは、手動のものでも、リモートコントローラ付きの小型の電動巻き上げ装置を備えたものでも構わない。
【発明の効果】
【００１５】
本発明の上記請求項1〜請求項３の撤去方法は、以上のように構成されているので、いずれも撤去する床スラブ貫通部の周囲の作業スペースが狭い場合であっても、施工時に騒音、振動、ホコリの発生が少なく、かつ、容易に既設立管の床スラブ貫通部を撤去することができる。
そして、床スラブ貫通部を撤去することによって残った床スラブ貫通孔をそのまま利用して新しい立管を配管施工することができる。
【図面の簡単な説明】
【００１６】
【図１】本発明の請求項１の撤去方法の１つの実施の形態をあらわし、その切断除去部を形成する工程を説明する概略図である。
【図２】図１の撤去方法の切除部を取り除く工程を説明する概略図である。
【図３】図１の請求項１の撤去方法のチェーンブロックの装着工程を説明する概略図である。
【図４】図３の要部拡大図である。
【図５】図１の撤去方法の切断除去部の引き抜き工程を説明する概略図である。
【図６】図５の後工程を説明する概略図である。
【図７】本発明の請求項２の撤去方法の１つの実施の形態をあらわし、チェーンブロックの装着工程を説明する概略図である。
【図８】本発明の請求項４の撤去方法の実施の形態をあらわし、チェーンブロックの装着工程を説明する概略図である。
【図９】本発明の請求項３の撤去方法の１つの実施の形態をあらわし、チェーンブロックの装着工程を説明する概略図である。
【図１０】図９の要部拡大図である。
【図１１】従来の床スラブのはつりを用いた更新方法を説明する図である。
【図１２】従来の床スラブの切削を用いた更新方法を説明する図である。
【図１３】従来の既設配管の引き抜きを用いた更新方法を説明する図である。
【図１４】図１５の更新方法に用いる油圧工具の斜視図である。
【発明を実施するための形態】
【００１７】
以下に、本発明を、その実施の形態をあらわす図面を参照しつつ詳しく説明する。
図１〜図６は、本発明の請求項１の撤去方法の１つの実施の形態をその工程順にあらわしている。
【００１８】
この撤去方法は、以下の工程を経るようになっている。
（Ａ１）図１に示すように、更新しようとする既設立管１の、最下階の床スラブＳを貫通する床スラブ貫通部の上下の切断線Ｌ1，Ｌ2に沿って既設立管１を切断して切断撤去部１１を形成する。なお、図１中、１０は屋上Ｒから露出する既設立管１の上端から雨水が既設立管１に入り込まないように、通気可能に設けられたキャップである。
（Ａ２）図２に示すように、切断撤去部１１の上端から切除部１２上端までの距離が、切断撤去部１１の上下寸法以上となるように、前記床スラブＳと１つ上階の床スラブＳとの間の既設立管１の切除部１２を切除する。
（Ａ３）図３に示すように、切除部１２を取り除くことによって、既設立管１の切除部１２より上方の既設立管残部１ａの下端部に、既設立管１の略中心軸を通るように水平に２つの貫通孔を穿設したのち、この貫通孔間に第１シャフト２ａを挿通する。そして、図示していないが、第１シャフト２ａの両端に設けられたねじにナットを螺合させることによって抜け止め状態で既設立管１の切除残部下端部に支持された状態にする。
また、切断撤去部１１の床スラブＳ上側に突出した部分にも、上記の第１シャフト２ａと同様にして第２シャフト２ｂを支持された状態にする。なお、切断撤去部１１の第２シャフト２ｂの取り付け位置は、肉厚があり、比較的強度のある継手１１ａ部分が好ましい。
（Ａ４）図３及び図４に示すように、牽引装置としてのチェーンブロック３のブロック本体３１を、フック３１を介して第１シャフト２ａに吊り下げ状態に支持する。
（Ａ５）図３及び図４に示すように、チェーンブロック３のチェーン３３の下端に設けられたフック３４を第２シャフト２ｂに引っ掛けたのち、図５に示すように、チェーン３３を引き上げて、切断撤去部１１を床スラブＳの上方に引き抜き、図６に示すように、切断撤去部１１を撤去する。
【００１９】
すなわち、この撤去方法によると、撤去したい既設立管１のうち、切断撤去部１１より上層階で多層階に渡り連続的に配管されている既設立管１部分の床スラブＳに対する固定力を活用することで、給水立て管、排水立て管、ガス配管、メーター機器等が設置されている狭小スペースにおいて、汎用的な牽引装置であるチェーンブロック３を用いて必要階の床スラブ貫通部を含む切断撤去部１１を撤去することができる。
そして、上記撤去方法を利用すれば、下層階から上層階に向かって順次上記方法を繰り返すことで、騒音、振動、ホコリの発生が極めて少なく、狭小スペースで既設配管全体を容易に撤去することができる。
【００２０】
また、切断撤去部１１を上方に引き抜くだけであるので、略同径か、切断撤去部１１の引き抜きによって、図に示すように、略切断撤去部１１の床スラブ貫通部の外周形状に沿う内周形状をした床スラブ貫通孔Ｈが床スラブＳに残る。
したがって、この床スラブ貫通孔Ｈをそのまま利用して、あまりサイズダウンすることなく、新設立管を配管施工することができ、新設立管の配管施工も容易に行える。
【００２１】
さらに、一階分の切断撤去部１１の引き抜きに必要な牽引力を備えた小型のチェーンブロック３を用いることができるので、チェーンブロック３を順次上層の階に付け替えていく場合においても、一人作業等で容易に行える。
【００２２】
図７は、本発明の請求項２の撤去方法の１つの実施の形態の工程の一部をあらわしている。
【００２３】
この撤去方法は、以下の工程を経るようになっている。
（Ｂ１）上記請求項１の撤去方法の（Ａ１）、（Ａ２）の工程を実施するとともに、図７に示すように、切断撤去部１１より複数階上層の床スラブＳ上で既設立管１の一部をチェーンブロック３の挿入作業可能間隔長さ分切除し上部切断部１５を形成する。
（Ｂ２）上記請求項１の撤去方法の（Ａ３）の工程に記載と同様の方法を用いて切断撤去部１１に第２シャフト２ｂを固定する。
（Ｂ３）図７に示すように、上部切断部１５の上方に残った上部既設立管残部１ｂの下端部に上記請求項１の撤去方法と同様に貫通孔を開け、この貫通孔に第１シャフト２ａを挿通し、固定するとともに、チェーンブロック３のブロック本体３１を、フック３２を介して第１シャフト２ａに吊り下げ状態に支持する。
（Ｂ４）図７に示すように、上部切断部１５の下方に残った下部既設立管残部１ｃの上端開口から上記チェーンブロック３のチェーン３３を、下部既設立管残部１ｃ内を通って切断撤去部１１のところまで垂らし、チェーン３３の下端に設けられたフック３４を第２シャフト２ｂに引っ掛けたのち、チェーン３３を引き上げて、切断撤去部１１を床スラブＳの上方に引き抜く。
【００２４】
この撤去方法によれば、上記請求項１の撤去方法と同様に、給水立て管、排水立て管、ガス配管、メーター機器等が設置されている狭小スペースにおいて、汎用的な牽引装置であるチェーンブロック３を用いて必要階の床スラブ貫通部を含む切断撤去部１１を撤去することができる。
そして、上記撤去方法を利用すれば、下層階の切断撤去部１１の撤去が完了すれば、つぎに、その上の階に切断撤去部１１を設けるだけで、ブロック本体３１が支持固定された階に到るまで、ブロック本体３１の支持固定作業を行わなくても各階の床スラブ貫通部を上方に容易に引き抜くことができる。すなわち、各階の切断撤去部１１を撤去ごとにチェーンブロック３の架け替え作業が必要でなく、より作業性がよくなる。
【００２５】
図８は、本発明の請求項４の撤去方法の実施の形態の工程の一部をあらわしている。
【００２６】
この撤去方法は、以下の工程を経るようになっている。
（Ｃ１）上記請求項１の撤去方法の（Ａ１）、（Ａ２）の工程を実施する。
（Ｃ２）上記請求項１の撤去方法の（Ａ３）の工程に記載と同様の方法を用いて切断撤去部１１に第２シャフト２ｂを固定する。
（Ｃ３）図８に示すように、既設立管１の上端に上記請求項１の撤去方法と同様に貫通孔を開け、この貫通孔に第１シャフト２ａを挿通し、固定するとともに、チェーンブロック３のブロック本体３１を、フック３２を介して第１シャフト２ａに吊り下げ状態に支持する。
（Ｃ４）図８に示すように、上記チェーンブロック３のチェーン３３を、既設立管１内を通って切断撤去部１１のところまで垂らし、チェーン３３の下端に設けられたフック３４を第２シャフト２ｂに引っ掛けたのち、チェーン３３を引き上げて、切断撤去部１１を床スラブＳの上方に引き抜く。
【００２７】
この撤去方法によれば、上記請求項１の撤去方法と同様に、給水立て管、排水立て管、ガス配管、メーター機器等が設置されている狭小スペースにおいて、汎用的な牽引装置であるチェーンブロック３を用いて必要階の床スラブ貫通部を含む切断撤去部１１を撤去することができる。
そして、上記撤去方法を利用すれば、下層階の切断撤去部１１の撤去が完了すれば、つぎに、その上の階に切断撤去部１１を設けるだけで、ブロック本体３１が支持固定された階に到るまで、ブロック本体３１の支持固定作業を行わなくても各階の床スラブ貫通部を上方に容易に引き抜くことができる。すなわち、各階の切断撤去部１１を撤去ごとにチェーンブロック３の架け替え作業が必要でなく、より作業性がよくなる。
【００２８】
図９及び図１０は、本発明の請求項３の撤去方法の１つの実施の形態の工程の一部をあらわしている。
【００２９】
この撤去方法は、以下の工程を経るようになっている。
（Ｄ１）図９及び図１０に示すように、屋上Ｒの既設立管１の上端に設けられた雨よけキャップ１０を取り除くとともに、この既設立管残部１ｄの上方を跨ぐように、屋上Ｒに架台４を設置する。なお、架台４は、図示していないが、例えば、アングル等の鉄鋼製の材料がボルトナットを用いて連結されて組み立てられるようになっている。
（Ｄ２）既設立管１の上端を上方から臨むように、チェーンブロック３のブロック本体３１を、フック３２を架台４に支持固定する。
（Ｄ３）上記（Ａ１）、（Ａ２）の工程を実施する。
（Ｄ４）上記（Ａ３）の工程に記載と同様の方法を用いて切断撤去部１１に第２シャフト２ｂを固定する。
（Ｄ５）図９及び図１０に示すように、屋上Ｒに突出する既設立管残部１ｄの上端開口から上記チェーンブロック３のチェーン３３を既設立管残部１ｄ内を通って切断撤去部１１のところまで垂らし、チェーン３３の下端に設けられたフック３４を第２シャフト２ｂに引っ掛けたのち、チェーン３３を引き上げて、切断撤去部１１を床スラブＳの上方に引き抜く。
【００３０】
この撤去方法の場合、屋上Ｒに架台４を設置し、この架台４にチェーンブロック３のブロック本体３１を支持させるようにしたので、各階の作業スペースが極めて狭い場合においても容易に床スラブ貫通部を含む切断撤去部１１を上方に抜き取ることができる。
そして、上記撤去方法を利用すれば、下層階の切断撤去部１１の撤去が完了すれば、つぎに、その上の階に切断撤去部１１を設けるだけで、ブロック本体３１が屋上Ｒに到るまで、ブロック本体３１の支持固定作業を行わなくても各階の床スラブ貫通部を含む切断撤去部１１を上方に容易に引き抜くことができる。すなわち、各階の切断撤去部１１を撤去ごとにチェーンブロック３の架け替え作業が必要でなく、より作業性がよくなる。
【００３１】
さらに、屋上Ｒに架台４を設置し、各切断撤去部１１の床スラブＳからの引き抜きの際の荷重が、屋上Ｒの床面で受けるようにしたので、上記請求項１及び請求項２の撤去方法のように、引き抜きの際の荷重が床スラブ貫通孔の周囲にかからない。
したがって、上記荷重によって床スラブ貫通孔の周囲にひび等が生じ、上側の階の切断
撤去部１１を引き抜く際にこのひびが原因で、床スラブ貫通孔の周囲が欠落し、新規立管施工時に欠落した部分を補修するといった手間を極力防止することができる。
【００３２】
本発明は、上記の実施の形態に限定されない。例えば、上記の実施の形態では、切断撤去部及び既設立管残部に貫通孔を設け、この貫通孔にシャフトを通し、このシャフトにチェーンブロックのフックを引っ掛けるようにしていたが、環状クランプを切断撤去部や既設立管残部の周囲に締付固定し、この環状クランプの周囲に突設された係止突部や係止環にチェーンブロックやウインチなどの牽引装置を装置本体及び牽引線条体を固定するようにしても構わない。
また、上記請求項２の撤去方法の実施の形態では、チェーンブロックを既設立管残部の下端に支持固定するようにしていたが、架台を設置するスペースを備えた階であれば、請求項３の撤去方法に用いた架台を床スラブ上に設置し、チェーンブロックやウインチなどの本体部をこの架台に支持固定するようにしても構わない。
【符号の説明】
【００３３】
１  既設立管
１ａ  既設立管残部
１ｂ  上部既設立管残部
１ｃ  下部既設立管残部
１０  雨よけキャップ
１１  切断撤去部
１２  切除部
３  チェーンブロック（牽引装置）
３１  ブロック本体
３３  チェーン（牽引線条体）
４  架台
Ｒ  屋上
Ｓ  床スラブ
【図１】
0005635856.tif 000002
【図２】
0005635856.tif 000003
【図３】
0005635856.tif 000004
【図４】
0005635856.tif 000005
【図５】
0005635856.tif 000006
【図６】
0005635856.tif 000007
【図７】
0005635856.tif 000008
【図８】
0005635856.tif 000009
【図９】
0005635856.tif 000010
【図１０】
0005635856.tif 000011
【図１１】
0005635856.tif 000012
【図１２】
0005635856.tif 000013
【図１３】
0005635856.tif 000014
【図１４】
0005635856.tif 000015